(57)【要約】【課題】半角、全角、小文字または大文字の設定を容易に行うことが可能な文字入力装置および文字入力方法を提供する。【解決手段】文字入力装置は、ユーザ操作により入力された文字と方向とを受け付ける受付部と、受付部がユーザ操作により入力された所定の文字を受け付けると、所定の文字を表示する表示部と、表示部が所定の文字を表示している間、受付部がユーザ操作により入力された所定方向を受け付けた場合には、所定の文字を全角に設定し、受付部がユーザ操作により入力された、所定方向と反対の方向を受け付けた場合には、所定の文字を半角に設定する設定部と、を含む。【選択図】図１
2012083838.tif 000002
【特許請求の範囲】
【請求項１】
ユーザ操作により入力された文字と方向とを受け付ける受付手段と、
前記受付手段が前記ユーザ操作により入力された所定の文字を受け付けると、該所定の文字を表示する表示手段と、
前記表示手段が前記所定の文字を表示している間、前記受付手段が前記ユーザ操作により入力された所定方向を受け付けた場合には該所定の文字を全角に設定し、前記受付手段が前記ユーザ操作により入力された、前記所定方向と反対の方向を受け付けた場合には該所定の文字を半角に設定する設定手段と、を含む文字入力装置。
【請求項２】
請求項１に記載の文字入力装置において、
前記受付手段は、タッチパネルであり、
前記タッチパネルは、前記表示手段を兼ねる、文字入力装置。
【請求項３】
請求項１または２に記載の文字入力装置において、
前記所定の文字は、仮名文字または英字である、文字入力装置。
【請求項４】
ユーザ操作により入力された文字と方向とを受け付ける受付手段と、
前記受付手段が前記ユーザ操作により入力された特定の文字を受け付けると、該特定の文字を表示する表示手段と、
前記表示手段が前記特定の文字を表示している間、前記受付手段が前記ユーザ操作により入力された特定方向を受け付けた場合には該特定の文字を大文字に設定し、前記受付手段が前記ユーザ操作により入力された、前記特定方向と反対の方向を受け付けた場合には該特定の文字を小文字に設定する設定手段と、を含む文字入力装置。
【請求項５】
請求項４に記載の文字入力装置において、
前記受付手段は、タッチパネルであり、
前記タッチパネルは、前記表示手段を兼ねる、文字入力装置。
【請求項６】
請求項４または５に記載の文字入力装置において、
前記特定の文字は、小文字を有する仮名文字または英字である、文字入力装置。
【請求項７】
請求項４から６のいずれか１項に記載の文字入力装置であって、
前記設定手段は、前記表示手段が前記特定の文字を表示している間、前記受付手段が前記ユーザ操作により入力された所定方向を受け付けた場合には該特定の文字を全角に設定し、前記受付手段が前記ユーザ操作により入力された、前記所定方向と反対の方向を受け付けた場合には該特定の文字を半角に設定する、文字入力装置。
【請求項８】
請求項７に記載の文字入力装置において、
前記特定方向は、前記特定の文字に対して上方向であり、
前記所定方向は、前記特定の文字に対して右方向である、文字入力装置。
【請求項９】
ユーザ操作により入力された文字と方向とを受け付ける受付手段を有する文字入力装置の文字入力方法であって、
前記受付手段が前記ユーザ操作により入力された所定の文字を受け付けると、該所定の文字を表示する表示ステップと、
前記表示ステップにて前記所定の文字が表示されている間、前記受付手段が前記ユーザ操作により入力された所定方向を受け付けた場合には該所定の文字を全角に設定し、前記受付手段が前記ユーザ操作により入力された、前記所定方向と反対の方向を受け付けた場合には該所定の文字を半角に設定する設定ステップと、含む文字入力方法。
【請求項１０】
ユーザ操作により入力された文字と方向とを受け付ける受付手段を有する文字入力装置の文字入力方法であって、
前記受付手段が前記ユーザ操作により入力された特定の文字を受け付けると、該特定の文字を表示する表示ステップと、
前記表示ステップにて前記特定の文字が表示されている間、前記受付手段が前記ユーザ操作により入力された特定方向を受け付けた場合には該特定の文字を大文字に設定し、前記受付手段が前記ユーザ操作により入力された、前記特定方向と反対の方向を受け付けた場合には該特定の文字を小文字に設定する設定ステップと、を含む文字入力方法。
【発明の詳細な説明】
【技術分野】
【０００１】
本発明は、文字入力装置および文字入力方法に関する。
【背景技術】
【０００２】
特許文献１には、濁音、半濁音、長音、促音の入力が容易な仮名入力装置が記載されている。特許文献１に記載の仮名入力装置は、タッチパネルと、タッチパネルが指で押されてから放されるまでの間に指が移動した移動方向を検出する検出処理部と、を備えている。
【０００３】
特許文献１に記載の仮名入力装置は、検出処理部が検出した移動方向に応じて、清音の文字を、濁音、半濁音、長音、促音の文字に変換する。例えば、清音の文字が「は」である場合、清音の文字「は」は、移動方向に応じて、濁音の文字「ば」、半濁音の文字「ぱ」、長音の文字「はー」、促音の文字「はっ」に変換される。
【先行技術文献】
【特許文献】
【０００４】
【特許文献１】特開平５−１０８６０７号公報
【発明の概要】
【発明が解決しようとする課題】
【０００５】
特許文献１に記載の仮名入力装置は、検出処理部が検出した移動方向に応じて、清音の文字を、濁音、半濁音、長音、促音の文字に変換する。このため、濁音、半濁音、長音、促音の入力が容易になる。文字の入力としては、濁音、半濁音、長音、促音の入力以外に、例えば、半角、全角、小文字または大文字の入力も考えられる。
【０００６】
ユーザ操作により入力された文字を、半角、全角、小文字または大文字に設定する場合には、煩わしい操作が必要となることが多く、ユーザにとって不便であるが、特許文献１には、半角、全角、小文字または大文字を容易に設定する手法は記載されていない。
【０００７】
本発明の目的は、半角、全角、小文字または大文字の設定が容易な文字入力装置および文字入力方法を提供することにある。
【課題を解決するための手段】
【０００８】
本発明の文字入力装置は、ユーザ操作により入力された文字と方向とを受け付ける受付手段と、前記受付手段が前記ユーザ操作により入力された所定の文字を受け付けると、該所定の文字を表示する表示手段と、前記表示手段が前記所定の文字を表示している間、前記受付手段が前記ユーザ操作により入力された所定方向を受け付けた場合には該所定の文字を全角に設定し、前記受付手段が前記ユーザ操作により入力された、前記所定方向と反対の方向を受け付けた場合には該所定の文字を半角に設定する設定手段と、を含む。
【０００９】
本発明の文字入力装置は、ユーザ操作により入力された文字と方向とを受け付ける受付手段と、前記受付手段が前記特定の文字を受け付けると、該特定の文字を表示する表示手段と、前記表示手段が前記ユーザ操作により入力された特定の文字を表示している間、前記受付手段が前記ユーザ操作により入力された特定方向を受け付けた場合には該特定の文字を大文字に設定し、前記受付手段が前記ユーザ操作により入力された、前記特定方向と反対の方向を受け付けた場合には該特定の文字を小文字に設定する設定手段と、を含む。
【００１０】
本発明の文字入力方法は、ユーザ操作により入力された文字と方向とを受け付ける受付手段を有する文字入力装置の文字入力方法であって、前記受付手段が前記ユーザ操作により入力された所定の文字を受け付けると、該所定の文字を表示する表示ステップと、前記表示ステップにて前記所定の文字が表示されている間、前記受付手段が前記ユーザ操作により入力された所定方向を受け付けた場合には該所定の文字を全角に設定し、前記受付手段が前記ユーザ操作により入力された、前記所定方向と反対の方向を受け付けた場合には該所定の文字を半角に設定する設定ステップと、を含む。
【００１１】
本発明の文字入力方法は、ユーザ操作により入力された文字と方向とを受け付ける受付手段を有する文字入力装置の文字入力方法であって、前記受付手段が前記ユーザ操作により入力された特定の文字を受け付けると、該特定の文字を表示する表示ステップと、前記表示ステップにて前記特定の文字が表示されている間、前記受付手段が前記ユーザ操作により入力された特定方向を受け付けた場合には該特定の文字を大文字に設定し、前記受付手段が前記ユーザ操作により入力された、前記特定方向と反対の方向を受け付けた場合には該特定の文字を小文字に設定する設定ステップと、を含む。
【発明の効果】
【００１２】
本発明によれば、半角、全角、小文字または大文字の設定を容易に行うことが可能になる。
【図面の簡単な説明】
【００１３】
【図１】本発明の実施形態における文字入力装置の構成例を示すブロック図である。
【図２】変換処理部３０による変換対象文字の設定例を説明するための図である。
【図３ａ】大文字半角の英字の中から変換対象文字を選択する例を示す図である。
【図３ｂ】変換対象文字を大文字半角から大文字全角へ変換する例を示す図である。
【図３ｃ】変換対象文字を大文字半角から小文字半角へ変換する例を示す図である。
【図３ｄ】変換対象文字を大文字半角から小文字全角へ変換する例を示す図である。
【図４ａ】大文字の平仮名の中から変換対象文字を選択する例を示す図である。
【図４ｂ】変換対象文字を大文字から小文字へ変換する例を示す図である。
【図５】文字入力方法の処理手順例を示すフローチャートである。
【図６】本発明の実施形態における携帯通信端末の一構成例を示すブロック図である。
【発明を実施するための形態】
【００１４】
以下、本発明の一実施形態について図面を参照して説明する。
【００１５】
図１は、本発明の実施形態における文字入力装置の構成例を示すブロック図である。
【００１６】
文字入力装置１は、３インチ〜１０インチ程度のサイズのタッチパネルを搭載する携帯電話機などの携帯情報端末に用いられる。文字入力装置１は、タッチパネル１０と、文字設定部２０と、を備える。タッチパネル１０は、受付部１１と表示部１２とを備える。よって、タッチパネル１０は、表示部１２を兼ねる。
【００１７】
タッチパネル１０は、ユーザ操作により入力された文字と、ユーザ操作により入力された方向（以下「入力方向」とも称する。）と、を受け付ける。タッチパネル１０には、例えば、メールなどを作成する際に、ユーザ操作により日本語、英語、記号などが入力される。
【００１８】
タッチパネル１０は、ユーザが文字または任意の方向を入力するために用いられる指示物体との接触の有無を検出する。指示物体として、本実施形態では、人の指が用いられる。なお、指示物体としては、ペンなどが用いられても良い。
【００１９】
タッチパネル１０は、指示物体との接触を検出すると、タッチパネル１０内の指示物体との接触位置を示す位置座標を特定する。タッチパネル１０は、位置座標を特定すると、位置座標を文字設定部２０に供給する。
【００２０】
タッチパネル１０は、ユーザ操作により入力された文字を受け付けると、その文字を表示する。
【００２１】
受付部１１は、一般的に受付手段と呼ぶことができる。
【００２２】
受付部１１は、ユーザ操作により入力された文字と入力方向とを受け付ける。
【００２３】
受付部１１は、例えば、ユーザ操作により入力された複数の文字（以下「入力文字列」と称する。）を受け付ける。受付部１１は、タッチパネル１０に表示されている文字に対して、例えば、右方向、左方向、上方向または下方向の入力方向を受け付ける。
【００２４】
本実施形態では、受付部１１は、ユーザ操作により入力文字列の中から選択された変換対象文字を受け付ける。変換対象文字は、一般的に所定の文字または特定の文字と呼ぶことができる。本実施形態では、所定の文字は、英字または仮名文字である。また、特定の文字は、小文字を有する仮名文字または英字である。小文字を有する仮名文字は、例えば、「あ」、「い」、「う」、「え」、「お」、「つ」、「や」、「ゆ」、「よ」などが挙げられる。
【００２５】
表示部１２は、一般的に表示手段と呼ぶことができる。
【００２６】
表示部１２は、受付部１１が、ユーザ操作により入力された変換対象文字を受け付けると、変換対象文字を所定の形式で表示する。表示部１２は、例えば、入力文字列のうちの変換対象文字の背景を、他の入力文字列の背景と異なる色で表示する。
【００２７】
文字設定部２０は、一般的に設定手段と呼ぶことができる。
【００２８】
図２は、文字設定部２０による変換対象文字の設定例を説明するための図である。
【００２９】
図１に示す文字設定部２０は、表示部１２が変換対象文字を表示している間、受付部１１が、ユーザ操作により入力された右方向を受け付けた場合には、変換対象文字を全角に設定する。図２では、右方向は、所定方向として用いられる。なお、所定方向としては、右方向と異なる方向が用いられても良い。
【００３０】
文字設定部２０は、表示部１２が変換対象文字を表示している間、受付部１１が、ユーザ操作により入力された、右方向と反対の方向である左方向を受け付けた場合には、変換対象文字を半角に設定する。
【００３１】
文字設定部２０は、表示部１２が変換対象文字を表示している間、受付部１１が、ユーザ操作により入力された上方向を受け付けた場合には、変換対象文字を大文字に設定する。図２では、上方向は、特定方向として用いられる。なお、特定方向としては、上方向と異なる方向が用いられても良い。
【００３２】
文字設定部２０は、表示部１２が変換対象文字を表示している間、受付部１１が、ユーザ操作により入力された、上方向と反対の方向である下方向を受け付けた場合には、変換対象文字を小文字に設定する。
【００３３】
図３は、文字設定部２０による大文字半角の英字を変換する例を説明するための図である。
【００３４】
図３（ａ）は、大文字半角の英字の中から変換対象文字を選択する例を示す図である。図３（ｂ）は、変換対象文字を大文字半角から大文字全角へ変換する例を示す図である。図３（ｃ）は、変換対象文字を大文字半角から小文字半角へ変換する例を示す図である。図３（ｄ）は、変換対象文字を大文字半角から小文字全角へ変換する例を示す図である。
【００３５】
図３（ａ）〜（ｄ）には、タッチパネル１０が示されている。タッチパネル１０の本文入力欄には、タッチパネル１０に表示されたＱＷＥＲＴＹキーボードにて、「ＱＷＥＲＴＹＵ」の入力文字列が入力されている。
【００３６】
図３（ａ）では、タッチパネル１０上の入力文字列のうち文字「Ｙ」の位置に指が接触すると、タッチパネル１０は、文字「Ｙ」を変換対象文字として受け付ける。タッチパネル１０は、変換対象文字「Ｙ」を受け付けると、変換対象文字「Ｙ」の選択状態を表すために、変換対象文字「Ｙ」の背景を灰色で表示する。
【００３７】
図３（ｂ）では、タッチパネル１０は、変換対象文字「Ｙ」の背景を灰色で表示している間、タッチパネル１０に表示された変換対象文字「Ｙ」と接触中の指が、文字「Ｙ」に対して移動した方向を検出する。ユーザの指がタッチパネル１０に表示されている変換対象文字「Ｙ」に対して右方向に移動すると、タッチパネル１０が、変換対象文字「Ｙ」に対して右方向の入力方向を受け付け、文字設定部２０が、大文字半角の文字「Ｙ」を大文字全角へ変換する。
【００３８】
図３（ｃ）では、タッチパネル１０が変換対象文字「Ｙ」の背景を灰色で表示している間、ユーザの指が、タッチパネル１０に表示されている変換対象文字「Ｙ」に対して下方向に移動すると、タッチパネル１０が、変換対象文字「Ｙ」に対して下方向の入力方向を受け付け、文字設定部２０が、大文字半角の文字「Ｙ」を小文字半角へ変換する。
【００３９】
図３（ｄ）では、タッチパネル１０は、変換対象文字「Ｙ」の背景を灰色で表示している間、変換対象文字「Ｙ」に対して右斜下方向の入力方向を受け付けると、文字設定部２０は、大文字半角の文字「Ｙ」を半角の小文字へ変換する。
【００４０】
なお、文字設定部２０は、図３（ｄ）と同様に、タッチパネル１０に変換対象文字が表示されている間、タッチパネル１０が、ユーザ操作により入力された右斜上方向を受け付けた場合には、変換対象文字を全角の大文字に設定してもよい。さらに、文字設定部２０は、タッチパネル１０がユーザ操作により入力された左斜上方向を受け付けた場合には、変換対象文字を半角の大文字に設定し、タッチパネル１０が、ユーザ操作により入力された左斜下方向を受け付けた場合には、変換対象文字を半角の小文字に設定してもよい。
【００４１】
図４は、文字設定部２０による大文字の平仮名を変換する例を説明するための図である。
【００４２】
図４（ａ）は、大文字の平仮名の中から変換対象文字を選択する例を示す図である。図４（ｂ）は、変換対象文字を大文字から小文字へ変換する例を示す図である。図４（ａ）および（ｂ）には、タッチパネル１０が示されている。タッチパネル１０の本文入力欄には、タッチパネル１０に表示された１０キーボードにて、「じどうや」の入力文字列が入力されている。
【００４３】
図４（ａ）では、タッチパネル１０上の入力文字列のうちの文字「や」の位置に指が接触すると、タッチパネル１０が、文字「や」を変換対象文字として受け付ける。タッチパネル１０は、変換対象文字「や」を受け付けると、変換対象文字「や」の背景を灰色でタッチパネル１０に表示する。
【００４４】
図４（ｂ）では、タッチパネル１０が、変換対象文字「や」の背景を灰色で表示している間、変換対象文字「や」に対して下方向の入力方向を受け受けると、文字設定部２０は、大文字の「や」を、小文字の「ゃ」に変換する。
【００４５】
なお、文字設定部２０は、位置座標と、文字を示す文字コードと、が対応付けられた対応表を保持する。文字設定部２０は、タッチパネル１０から、位置座標を受け付けると、対応表を参照し、位置座標に対応付けられた文字コードを生成する。文字設定部２０は、その文字コードを表示部１２に供給する。表示部１２は、文字設定部２０から文字コードを受け付けると、文字コードが示す文字を、表示部１２に表示する。
【００４６】
次に、文字入力装置１の動作について説明する。
【００４７】
図５は、文字入力装置１の文字入力方法の処理手順例を示すタイミングチャートである。
【００４８】
まず、ユーザ操作により、仮名文字または英字を含む入力文字列がタッチパネル１０に入力される（ステップＳ１０１）。
【００４９】
文字設定部２０は、入力文字列が入力されると、入力文字列の中から選択された変換対象文字が受付部１１にて受け付けられたか否かを判断する（ステップＳ１０２）。文字設定部２０は、受付部１１が変換対象文字を受け付けると、表示部１２が変換対象文字を所定の形式で表示する。
【００５０】
文字設定部２０は、表示部１２が変換対象文字を所定の形式で表示している間、受付部１１が、ユーザ操作により入力された入力方向を受け付けると、その入力方向が横方向であるか否かを判断する（ステップＳ１０３）。
【００５１】
文字設定部２０は、表示部１２が変換対象文字を所定の形式で表示している間、受付部１１にて右方向の入力方向が受け付けられた場合（ステップＳ１０４）には、変換対象文字を全角に設定する（ステップＳ１０５）。
【００５２】
一方、文字設定部２０は、表示部１２が変換対象文字を所定の形式で表示している間、受付部１１にて左方向の入力方向が受け付けられた場合（ステップＳ１０４）には、変換対象文字を半角に設定する（ステップＳ１０６）。
【００５３】
また、文字設定部２０は、表示部１２が変換対象文字を所定の形式で表示している間、受付部１１にて上方向の入力方向が受け付けられた場合（ステップＳ１０７）には、変換対象文字を大文字に設定する（ステップＳ１０８）。
【００５４】
一方、文字設定部２０は、表示部１２が変換対象文字を所定の形式で表示している間、受付部１１にて下方向の入力方向が受け付けられた場合（ステップＳ１０７）には、変換対象文字を小文字に設定する（ステップＳ１０９）。なお、文字設定部２０は、表示部１２が変換対象文字を所定の形式で表示している間、受付部１１にて右斜下方向の入力方向が受け付けられた場合には、変換対象文字を小文字半角に設定してもよい。
【００５５】
ステップＳ１０５、Ｓ１０６、Ｓ１０８またはＳ１０９の処理が終了すると、文字入力方法が完了する。
【００５６】
本実施形態によれば、受付部１１が、ユーザ操作により入力された変換対象文字を受け付けると、表示部１２は、受付部１１が受け付けた変換対象文字を表示する。表示部１２が変換対象文字を表示している間、文字設定部２０は、受付部１１が、ユーザ操作により入力された所定方向として右方向を受け付けた場合には、変換対象文字を全角に設定し、受付部１１が、ユーザ操作により入力された左方向を受け付けた場合には、変換対象文字を半角に設定する。変換対象文字は、例えば、英字または仮名文字である。
【００５７】
よって、文字入力装置１は、表示部１２が変換対象文字を表示している間、ユーザ操作により変換対象文字に対して右方向が入力された場合には、変換対象文字を全角に設定し、ユーザ操作により変換対象文字に対して左方向が入力された場合には、変換対象文字を半角に設定する。
【００５８】
このため、本実施形態によれば、全角または半角の設定が容易な文字入力装置１を実現することができる。
【００５９】
また、図２に示すように、ユーザが指を右方向に動かす入力操作は、ユーザにとって変換対象文字を広げるような直感的なイメージが得られやすい。また、ユーザが指を左方向に動かす入力操作は、ユーザにとって、変換対象文字を狭めるような直感的なイメージが得られやすい。
【００６０】
このため、文字入力装置１は、ユーザが覚え易い入力操作により、変換対象文字を全角または半角に設定することが可能となる。したがって、文字入力装置１は、使用者がイメージし易い文字変換を行うことが可能となる。
【００６１】
また、本実施形態では、受付部１１および表示部１２としてタッチパネル１０が用いられる。このため、タッチパネル１０による半角と全角の設定を容易に行うことが可能な文字入力装置１を実現することができる。
【００６２】
また、本実施形態によれば、表示部１２が変換対象文字を表示している間、文字設定部２０は、受付部１１が、ユーザ操作により入力された特定方向として上方向を受け付けた場合には、変換対象文字を大文字に設定し、受付部１１が、ユーザ操作により入力された、上方向とは反対の下方向を受け付けた場合には、変換対象文字を小文字に設定する。変換対象文字は、例えば、小文字を有する仮名文字または英字である。
【００６３】
よって、文字入力装置１は、表示部１２が変換対象文字を表示している間、ユーザ操作により変換対象文字に対して上方向が入力された場合には、変換対象文字を大文字に設定し、ユーザ操作により変換対象文字に対して下方向が入力された場合には、変換対象文字を小文字に設定する。
【００６４】
このため、本実施形態によれば、大文字または小文字の設定が容易な文字入力装置１を実現することができる。
【００６５】
また、図２に示すように、ユーザが指を上方向に動かす入力操作は、ユーザにとって変換対象文字を大きくするような直感的なイメージが得られやすい。また、ユーザが指を下方向に動かす入力操作は、ユーザにとって変換対象文字を小さくするような直感的なイメージが得られやすい。
【００６６】
このため、文字入力装置１は、ユーザが覚え易い入力操作により、変換対象文字を大文字または小文字に設定することが可能である。
【００６７】
さらに、本実施形態では、文字設定部２０は、表示部１２が変換対象文字を表示している間、受付部１１が、ユーザ操作により入力された右方向を受け付けた場合には、変換対象文字を全角に設定し、受付部１１が、ユーザ操作により入力された左方向を受け付けた場合には、変換対象文字を半角に設定する。
【００６８】
このため、文字入力装置１では、ユーザが、変換対象文字を、大文字、小文字、半角または全角に容易に設定することが可能となる。さらに、文字入力装置１は、使用者がイメージし易い文字変換を行うことが可能となる。
【００６９】
なお、本実施形態では、表示部１２が変換対象文字を表示している間、タッチパネル１０を用いて右方向、左方向、上方向または下方向の入力が受け付けられる例について説明したが、図２に示すように、物理キーを用いて右方向、左方向、上方向または下方向の入力が受け付けられてもよい。
【００７０】
また、本実施形態では、文字入力装置１が、携帯通信端末に用いられても良い。
【００７１】
図６は、文字入力装置１が用いられる携帯通信端末１００の構成例を示すブロック図である。
【００７２】
携帯通信端末１００は、通話処理と、メールの送信および受信と、インターネット接続と、を行う通信機能およびＴＶ（TeleVision）放送受信機能を備える携帯情報処理装置である。また、携帯通信端末１００は、タッチパネル機能を有する。携帯通信端末１００は、例えば、携帯電話機、電子書籍端末、タブレット型ＰＣ（Personal Computer）またはメディアプレーヤにより実現される。
【００７３】
携帯通信端末１００は、無線通信部１０１と、表示部１０２と、放送受信部１０３と、操作部１０４と、制御部１０５と、カメラ部１０６と、記憶部１０７と、音声処理部１０８と、辞書部１０９と、スピーカ１１０と、測位部１１１と、マイク１１２と、を備える。
【００７４】
無線通信部１０１は、アンテナを介して無線信号により、通信先と通信を行うための通信情報の送信および受信を行う。無線通信部１０１は、例えば、ＷＣＤＭＡ（Wideband Code Division Multiple Access）、ＣＤＭＡ（Code Division Multiple Access）−２０００、ＷＬＡＮ（Wireless Local Area Network）、ＷｉＭＡＸ（Worldwide Interoperability for Microwave Access）、ＧＳＭ（Global System for Mobile Communications）、ＰＨＳ（Personal Handy-phone System）のそれぞれの通信システムに対応する無線モジュールにより実現される。
【００７５】
表示部１０２は、図１に示したタッチパネル１０に対応する。
【００７６】
表示部１０２は、画像、図形、文字、記号などを表示する。また、表示部１０２は、圧力または静電容量を用いて、ユーザの入力操作を検出するスイッチ機能を有する。
【００７７】
放送受信部１０３は、不図示の地上局や衛星局などの放送局から送信された放送信号を、アンテナを介して受信する。放送受信部１０３は、放送信号を受信すると、その受信した放送信号を復調して、映像データと音声データと文字情報データとを生成する放送信号処理を行う。
【００７８】
操作部１０４は、押下のスイッチ操作により、利用者の入力操作を受け付ける。
【００７９】
制御部１０５は、図１に示した文字設定部２０に対応する。
【００８０】
制御部１０５は、無線通信部１０１と、カメラ部１０６と、音声処理部１０８と、放送受信部１０３と、を制御する。
【００８１】
カメラ部１０６は、画像を撮像して画像を示す画像情報を取得する。
【００８２】
記憶部１０７は、複数の電話番号を示す電話帳情報と、発信情報と、着信情報と、送信メールと、受信メールと、アプリケーションプログラムと、撮像画像と、設定情報と、を格納する。
【００８３】
音声処理部１０８は、マイク（送話部）１１２から音声信号を受け付けると、音声信号に所定の音声処理を施す。音声処理部１０８は、例えば、音声信号をスピーカ（受話部）１１０に出力する。
【００８４】
辞書部１０９は、入力された検索対象語をキーとして電子辞書を検索する。
【００８５】
スピーカ１１０は、通話音、音楽または報知音などを出力する。
【００８６】
測位部１１１は、不図示のＧＰＳ衛星から発射された電波を受信する。測位部１１１は、ＧＰＳ衛星から発射されてから、携帯通信端末１００に到達するまでの時間を測定する。測位部１１１は、測定した時間からＧＰＳ衛星と携帯通信端末１００との間の距離を求める。測位部１１１は、ＧＰＳ衛星と携帯通信端末１００との間の距離を利用して、携帯通信端末１００の位置座標を求める。
【００８７】
マイク１１２は、携帯通信端末１００の使用者の音声を集音する。
【００８８】
よって、携帯通信端末１００では、ユーザは、ブラウザ検索、ブログ投稿、パスワードやメール作成などの文字入力を行う際に、大文字、小文字、全角または半角の設定を直感的で、かつ容易に行うことが可能となる。また、物理キーが少ないタッチパネル式のタブレット型携帯通信端末でも、本実施形態を適用することによって、大文字と小文字の変換と、全角と半角の変換と、を容易に行うことが可能となる。
【００８９】
以上説明した実施形態において、図示した構成は単なる一例であって、本発明はその構成に限定されるものではない。
【符号の説明】
【００９０】
１  文字入力装置
１０  タッチパネル
１１  受付部
１２  表示部
２０  文字設定部
【図１】
2012083838.tif 000003
【図２】
2012083838.tif 000004
【図３ａ】
2012083838.tif 000005
【図３ｂ】
2012083838.tif 000006
【図３ｃ】
2012083838.tif 000007
【図３ｄ】
2012083838.tif 000008
【図４ａ】
2012083838.tif 000009
【図４ｂ】
2012083838.tif 000010
【図５】
2012083838.tif 000011
【図６】
2012083838.tif 000012